(57)【要約】  本発明による投写型表示装置は、複数の光源（５１ｒ、ｇ、ｂ）と、各光源（５１ｒ、ｇ、ｂ）から出射される光のうち画像情報に応じた光を投写面に投写する投写部（５６）と、光源（５１ｒ、ｇ、ｂ）の各々の発光量を所定値に設定し、各光源（５１ｒ、ｇ、ｂ）から所定の発光パターンで光を順次出射させる第一の制御と、複数の光源（５１ｒ、ｇ、ｂ）のうちの特定光源（５１ｒ）の発光量を所定値よりも大きい値に設定し、複数の光源のうちの特定光源（５１ｒ）を除く光源（５１ｇ、ｂ）の発光量を所定値よりも小さい発光量に設定して各光源（５１ｒ、ｇ、ｂ）から所定の発光パターンで光を順次出射させる第二の制御と、を選択的に行う光源制御部（５０）と、を備える。
2016051846.tif 000002
【特許請求の範囲】
【請求項１】
異なる色の光を出射する複数の光源と、  前記複数の光源から出射される光のうち画像情報に応じた光を投写面に投写する投写部と、  前記複数の光源の各々の発光量を予め決められた発光量パターンに設定し、前記複数の光源から予め決められた発光パターンで光を順次出射させる第一の制御と、前記複数の光源のうちの特定光源の発光量を前記発光量パターンで設定される発光量よりも大きい発光量に設定し、前記複数の光源のうちの前記特定光源を除く光源の発光量を前記発光量パターンで設定される発光量よりも小さい発光量に設定して前記複数の光源から前記発光パターンで光を順次出射させる第二の制御と、を選択的に行う光源制御部と、を備える投写型表示装置。
【請求項２】
請求項１記載の投写型表示装置であって、  前記光源制御部は、前記第二の制御において前記特定光源を除く光源に設定する発光量をゼロにする投写型表示装置。
【請求項３】
請求項１又は２記載の投写型表示装置であって、  前記複数の光源は、赤色光を出射する赤色光源と、緑色光を出射する緑色光源と、青色光を出射する青色光源と、を含み、  前記特定光源は前記赤色光源である投写型表示装置。
【請求項４】
請求項１〜３のいずれか１項記載の投写型表示装置であって、  温度を検出する温度検出部を更に備え、  前記光源制御部は、前記温度検出部により検出される温度が閾値を超える場合に前記第二の制御を行い、前記温度検出部により検出される温度が前記閾値以下の場合に前記第一の制御を行う投写型表示装置。
【請求項５】
請求項１〜４のいずれか１項記載の投写型表示装置であって、  前記発光パターンは、前記複数の光源から光を順次出射させる期間と、前記複数の光源のうち前記特定光源を除く光源から光を順次出射させる期間とを交互に繰り返す第一のパターンと、前記複数の光源から光を順次出射させる期間を連続して行う第二のパターンとを含み、  前記光源制御部は、前記第二の制御において、前記第一のパターンで光を順次出射させる場合に前記特定光源に設定する発光量を、前記第二のパターンで光を順次出射させる場合よりも大きくする投写型表示装置。
【請求項６】
異なる色の光を出射する複数の光源と、前記複数の光源から出射される光のうち画像情報に応じた光を投写面に投写する投写部と、を有する投写型表示装置の光源制御方法であって、  前記複数の光源の各々の発光量を予め決められた発光量パターンに設定し、前記複数の光源から予め決められた発光パターンで光を順次出射させる第一の制御と、前記複数の光源のうちの特定光源の発光量を前記発光量パターンで設定される発光量よりも大きい発光量に設定し、前記複数の光源のうちの前記特定光源を除く光源の発光量を前記発光量パターンで設定される発光量よりも小さい発光量に設定して前記複数の光源から前記発光パターンで光を順次出射させる第二の制御と、を選択的に行う光源制御ステップを備える光源制御方法。
【請求項７】
請求項６記載の光源制御方法であって、  前記光源制御ステップでは、前記第二の制御において前記特定光源を除く光源に設定する発光量をゼロにする光源制御方法。
【請求項８】
請求項６又は７記載の光源制御方法であって、  前記複数の光源は、赤色光を出射する赤色光源と、緑色光を出射する緑色光源と、青色光を出射する青色光源と、を含み、  前記特定光源は前記赤色光源である光源制御方法。
【請求項９】
請求項６〜８のいずれか１項記載の光源制御方法であって、  前記光源制御ステップでは、温度を検出する温度検出部により検出される温度が閾値を超える場合に前記第二の制御を行い、前記温度検出部により検出される温度が前記閾値以下の場合に前記第一の制御を行う光源制御方法。
【請求項１０】
請求項６〜９のいずれか１項記載の光源制御方法であって、  前記発光パターンは、前記複数の光源から光を順次出射させる期間と、前記複数の光源のうち前記特定光源を除く光源から光を順次出射させる期間とを交互に繰り返す第一のパターンと、前記複数の光源から光を順次出射させる期間を連続して行う第二のパターンとを含み、  前記光源制御ステップでは、前記第二の制御において、前記第一のパターンで光を順次出射させる場合に前記特定光源に設定する発光量を、前記第二のパターンで光を順次出射させる場合よりも大きくする光源制御方法。
【発明の詳細な説明】
【技術分野】
【０００１】  本発明は、投写型表示装置及びその光源制御方法に関する。
【背景技術】
【０００２】  自動車のフロントガラスや、フロントガラスの手前付近に配置されるコンバイナをスクリーンとして用い、これに投写光を投写して画像を表示させる自動車用のＨＵＤ（ヘッドアップディスプレイ）装置が知られている（例えば特許文献１、２参照）。このＨＵＤによれば、利用者は、ＨＵＤから投写された投写光によってフロントガラス等に表示される画像を、そのフロントガラス等の裏側にある自車両前方の風景に重畳させて視認することができる。【０００３】  ＨＵＤでは、画像表示のために、赤色光を出射する光源、緑色光を出射する光源、及び青色光を出射する光源を搭載するのが一般的である。【０００４】  特許文献１には、ＨＵＤに搭載される光源として高温時の発光効率が大きく低下する半導体レーザ等の光源を用いるものが開示されている。【０００５】  特許文献１に記載されたＨＵＤは、異常状態を利用者に伝えるための専用の表示部を有する。このＨＵＤは、スクリーンに投写される画像の輝度が低下する高温環境下においては、光源を用いた画像表示を停止して、この表示部にエラー表示を行うようにしている。【０００６】  特許文献２には、赤色光を出射する光源、緑色光を出射する光源、及び青色光を出射する光源からの光を走査手段によって二次元状に走査することで画像表示を行うＨＵＤが開示されている。このＨＵＤは、走査手段による走査速度を制御することで、利用者に伝えるべき重要情報の輝度を向上させている。
【先行技術文献】
【特許文献】
【０００７】
【特許文献１】日本国特開２０１３−２４６２３６号公報
【特許文献２】日本国特開２０１１−１６６３９６号公報
【発明の概要】
【発明が解決しようとする課題】
【０００８】  自動車用のＨＵＤのように、明るい環境下で用いられる可能性のあるＨＵＤでは、表示画像の輝度を上げて視認性を向上させたい場合がある。特に、故障等の異常を利用者に伝えたり、自動車用であればガソリンが少ない等の緊急事態を利用者に伝えたりすることを考えると、視認性の向上は重要な課題となる。【０００９】  しかし、ＨＵＤに用いられる複数光源は、発光量が温度に依存するものが多い。このため、高温下でＨＵＤが使用されていると、表示画像の輝度を十分に上げることができない可能性がある。【００１０】  また、表示画像の輝度を上げようと、光源の発光量を増やすと、それに伴って光源ユニット内の発熱量も増大する。そして、この発熱による温度上昇によって発光量が低下することになり、表示画像の輝度を十分に上げることが難しい。また、使用電力に制限がかかる環境下では、光源の発光量を上げることは難しい。【００１１】  特許文献１は、異常状態を専用の表示部にて表示することで利用者に通知している。しかし、これでは専用の表示部が必要となるため、ＨＵＤのコストが増大する。また、異常状態にあるときには画像表示が行われないため、使い勝手がよくない。【００１２】  特許文献２は、重要情報の輝度を上げて表示できるが、光源からの光を二次元状に走査して画像表示を行う形式に有効な方法である。【００１３】  ＨＵＤには、赤色、緑色、青色の画像データで液晶パネルを面順次走査で切り替えて行くと共に、これに同期させて液晶パネル面に照射する光を、時系列的に順次高速に赤色光、緑色光、青色光で切り替え、各色光に対応した残像を人の網膜上で合成してカラー画像を得る、いわゆるフィールドシーケンシャル方式（面順次方式）を採用しているものがある。特許文献２に記載の方法は、このフィールドシーケンシャル方式には適用できない。【００１４】  本発明は、上記事情に鑑みてなされたものであり、異なる色の光を出射する複数の光源から時分割で光を出射させる方式で画像表示を行う投写型表示装置において、電力消費量を増やすことなく、特定の情報の視認性を向上させることを目的とする。
【課題を解決するための手段】
【００１５】  本発明の投写型表示装置は、異なる色の光を出射する複数の光源と、上記複数の光源から出射される光のうち画像情報に応じた光を投写面に投写する投写部と、上記複数の光源の各々の発光量を予め決められた発光量パターンに設定し、上記複数の光源から予め決められた発光パターンで光を順次出射させる第一の制御と、上記複数の光源のうちの特定光源の発光量を上記発光量パターンで設定される発光量よりも大きい発光量に設定し、上記複数の光源のうちの上記特定光源を除く光源の発光量を上記発光量パターンで設定される発光量よりも小さい発光量に設定して上記複数の光源から上記発光パターンで光を順次出射させる第二の制御と、を選択的に行う光源制御部と、を備えるものである。【００１６】  本発明の投写型表示装置の光源制御方法は、上記発光パターンは、上記複数の光源から光を順次出射させる期間と、上記複数の光源のうち上記特定光源を除く光源から光を順次出射させる期間とを交互に繰り返す第一のパターンと、上記複数の光源から光を順次出射させる期間を連続して行う第二のパターンとを含み、上記光源制御ステップでは、上記第二の制御において、上記第一のパターンで光を順次出射させる場合に上記特定光源に設定する発光量を、上記第二のパターンで光を順次出射させる場合よりも大きくするものである。
【発明の効果】
【００１７】  本発明によれば、異なる色の光を出射する複数の光源から時分割で光を出射させる方式で画像表示を行う投写型表示装置において、電力消費量を増やすことなく、特定の情報の視認性を向上させることができる。
【図面の簡単な説明】
【００１８】
【図１】本発明の投写型表示装置の一実施形態であるＨＵＤの構成を示す図である。
【図２】図１に示す表示ユニット５の構成を示す図である。
【図３】光源制御部５０が行う第一の制御を説明するための図である。
【図４】光源制御部５０が行う第二の制御を説明するための図である。
【図５】光源制御部５０が行う第二の制御の別の例を説明するための図である。
【図６】第一の制御の別の例を説明するための図である。
【図７】第二の制御の別の例を説明するための図である。
【発明を実施するための形態】
【００１９】  以下、本発明の実施形態について図面を参照して説明する。
【００２０】  図１は、本発明の投写型表示装置の一実施形態であるＨＵＤの構成を示す図である。
【００２１】  図１に示すＨＵＤは、自動車１００のダッシュボード３に内蔵された投写ユニット４と、自動車１００のフロントガラス１内面に貼り付けられたコンバイナ２と、を備える。
【００２２】  投写ユニット４は、表示ユニット５と、表示ユニット５から出射された画像情報に応じた光を反射させるミラー６と、ミラー６で反射された光を外部に出射させるための開口部７と、を備える。
【００２３】  コンバイナ２は、開口部７から投写された光が投写される投写面であり、この光を反射する。自動車１００の運転者８は、コンバイナ２によって反射された光を見ることで、運転に関する情報を視認することが可能である。また、コンバイナ２は、開口部７から投写された光を反射すると同時に、フロントガラス１の外部（外界）からの光を透過する機能を持つ。このため、運転者８は、開口部７から投写された光に基づく画像と共に、フロントガラス１外の外界の光景を見ることができる。
【００２４】  図２は、図１に示す表示ユニット５の構成を示す図である。
【００２５】  表示ユニット５は、光源制御部５０と、赤色光を出射するＲ光源５１ｒと、緑色光を出射するＧ光源５１ｇと、青色光を出射するＢ光源５１ｂと、ダイクロイックプリズム５３と、Ｒ光源５１ｒとダイクロイックプリズム５３の間に設けられたコリメータレンズ５２ｒと、Ｇ光源５１ｇとダイクロイックプリズム５３の間に設けられたコリメータレンズ５２ｇと、Ｂ光源５１ｂとダイクロイックプリズム５３の間に設けられたコリメータレンズ５２ｂと、表示素子５４と、表示制御部５５と、投写光学系５６と、温度検出部５７と、を備える。
【００２６】  Ｒ光源５１ｒ、Ｇ光源５１ｇ、及びＢ光源５１ｂは、それぞれ、レーザ及びＬＥＤ（Ｌｉｇｈｔ  Ｅｍｉｔｔｉｎｇ  Ｄｉｏｄｅ）等の発光素子が用いられる。
【００２７】  温度検出部５７は、表示ユニット５内の温度（特にはＲ光源５１ｒ、Ｇ光源５１ｇ、及びＢ光源５１ｂ近傍の温度）を検出し、検出した温度を光源制御部５０に通知する。
【００２８】  ダイクロイックプリズム５３は、コリメータレンズ５２ｒによって平行光化されたＲ光を透過させて表示素子５４に出射する。また、ダイクロイックプリズム５３は、コリメータレンズ５２ｇによって平行光化されたＧ光を反射させて表示素子５４に出射する。また、ダイクロイックプリズム５３は、コリメータレンズ５２ｂによって平行光化されたＢ光を反射させて表示素子５４に出射する。
【００２９】  光源制御部５０は、第一の制御と第二の制御を選択的に行う。
【００３０】  第一の制御は、Ｒ光源５１ｒ、Ｇ光源５１ｇ、及びＢ光源５１ｂの各々の発光量を予め決められた発光量パターンに設定し、Ｒ光源５１ｒ、Ｇ光源５１ｇ、及びＢ光源５１ｂから予め決められた発光パターンで光を順次出射させる制御である。
【００３１】  第二の制御は、Ｒ光源５１ｒ、Ｇ光源５１ｇ、及びＢ光源５１ｂのうちの特定光源であるＲ光源５１ｒの発光量を上記発光量パターンで設定される発光量よりも大きい発光量に設定し、Ｒ光源５１ｒ、Ｇ光源５１ｇ、及びＢ光源５１ｂのうちの特定光源を除くＧ光源５１ｇ及びＢ光源５１ｂの発光量を上記発光量パターンで設定される発光量よりも小さい発光量に設定してＲ光源５１ｒ、Ｇ光源５１ｇ、及びＢ光源５１ｂから上記発光パターンで光を順次出射させる制御である。
【００３２】  光源制御部５０は、温度検出部５７により検出される表示ユニット５内の温度が閾値ＴＨを超える場合に第二の制御を行い、温度検出部５７により検出される表示ユニット５内の温度が閾値ＴＨ以下の場合に第一の制御を行う。
【００３３】  表示素子５４は、例えば、カラーフィルタを搭載しない多数の液晶表示画素が二次元状に配置された液晶表示パネルにより構成される。表示素子５４は、表示制御部５５の制御により、各液晶表示画素の透過率が、表示すべき画像情報の各画素を構成する色成分に応じて制御される。
【００３４】  表示制御部５５は、各液晶表示画素を画像情報のうちの赤色成分に応じた透過率に制御するＲ透過率制御と、各液晶表示画素を画像情報のうちの緑色成分に応じた透過率に制御するＧ透過率制御と、各液晶表示画素を画像情報のうちの青色成分に応じた透過率に制御するＢ透過率制御と、を行う。
【００３５】  表示制御部５５は、光源制御部５０がＲ光源５１ｒから光を出射させている期間と同期させてＲ透過率制御を行う。表示制御部５５は、光源制御部５０がＧ光源５１ｇから光を出射させている期間と同期させてＧ透過率制御を行う。表示制御部５５は、光源制御部５０がＢ光源５１ｂから光を出射させている期間と同期させてＢ透過率制御を行う。
【００３６】  投写光学系５６は、表示素子５４から出射された画像情報に応じた光をミラー６に投写するための光学系である。投写光学系５６とミラー６により、投写面としてのコンバイナ２に、表示素子５４から出射される画像情報に応じた光を投写する投写部が構成される。
【００３７】  図３は、光源制御部５０が行う第一の制御を説明するための図である。図３において、“Ｒ”を付したブロックは、Ｒ光源５１ｒを発光させる期間を示す。“Ｇ”を付したブロックは、Ｇ光源５１ｇを発光させる期間を示す。“Ｂ”を付したブロックは、Ｂ光源５１ｂを発光させる期間を示す。各ブロックの高さは、発光される光の発光強度を示す。各ブロックの期間の長さと発光強度の積（各ブロックの面積）が各ブロックの発光量を表す。
【００３８】  図１に示すＨＵＤでは、表示素子５４に、運転に関する情報を動画像として表示することで、運転者にこの情報を提示する。この動画像を構成する各静止画像を表示素子５４に表示させる期間を、以下ではフィールドという。
【００３９】  図３の例では、光源制御部５０は、Ｒ光源５１ｒ、Ｇ光源５１ｇ、及びＢ光源５１ｂの各々の発光量を、全ての発光量が同じ発光量パターンに設定し、Ｒ光源５１ｒ、Ｇ光源５１ｇ、及びＢ光源５１ｂを、この順で順次発光させる発光パターンで光を出射させる。
【００４０】  図４は、光源制御部５０が行う第二の制御を説明するための図である。
【００４１】  図４の例では、光源制御部５０は、Ｒ光源５１ｒの発光強度を図３の第一の制御時よりも大きくし、Ｇ光源５１ｇ及びＢ光源５１ｂの各々の発光強度を図３の第一の制御時よりも小さくしている。これにより、Ｒ光源５１ｒの発光量を第一の制御時よりも大きくし、Ｇ光源５１ｇ及びＢ光源５１ｂの各々の発光量を第一の制御時よりも小さくしている。
【００４２】  図５は、光源制御部５０が行う第二の制御の別の例を説明するための図である。
【００４３】  図５の例では、光源制御部５０は、Ｒ光源５１ｒの発光期間を図３の第一の制御時よりも長くし、Ｇ光源５１ｇ及びＢ光源５１ｂの各々の発光期間を図３の第一の制御時よりも短くしている。これにより、Ｒ光源５１ｒの発光量を第一の制御時よりも大きくし、Ｇ光源５１ｇ及びＢ光源５１ｂの各々の発光量を第一の制御時よりも小さくしている。
【００４４】  図１に示すＨＵＤでは、運転者８によって確認される動画像において、運転者に知らせるべき重要な情報を、赤色で表示するようにしている。重要な情報としては、例えば、ガソリンが不足していることを通知する情報、歩行者が自動車１００の近くにいることを通知する情報、自動車１００の時速を通知する情報等が挙げられる。
【００４５】  Ｒ光源５１ｒ、Ｇ光源５１ｇ、及びＢ光源５１ｂとして用いる発光素子には、温度上昇に伴って発光強度が低下するものが存在する。例えば、発光素子としてＬＥＤを用いた場合、Ｒ光源５１ｒは、Ｇ光源５１ｇ及びＢ光源５１ｂと比べると、温度上昇に対する発光強度の低下度合が大きい。
【００４６】  このため、温度検出部５７により検出された温度が、Ｒ光源５１ｒの発光強度が大きく低下し始める閾値ＴＨを超えてしまうと、重要な情報として表示される赤文字の表示輝度が低下することになり、重要な情報を運転者８に明確に伝えることができなくなる可能性がある。
【００４７】  そこで、光源制御部５０は、温度検出部５７により検出された温度が閾値ＴＨを超える場合に第二の制御を行う。
【００４８】  第二の制御は、Ｒ光源５１ｒの発光量は第一の制御より増えるものの、Ｇ光源５１ｇ及びＢ光源５１ｂの発光量が第一の制御より減少する。このため、３つの光源全体としての発光による発熱量及び消費電力を増やすことなく、特定光源であるＲ光源５１ｒの発光量を増やして、重要な情報の視認性を確保することができる。
【００４９】  図３の例では、Ｒ光源５１ｒの発光強度と、Ｇ光源５１ｇの発光強度と、Ｂ光源５１ｂの発光強度とがそれぞれ同じとしているが、各発光強度は任意のパターンで設定すればよい。
【００５０】  この場合でも、第二の制御では、Ｒ光源５１ｒの発光強度を第一の制御より大きくするとともに、Ｇ光源５１ｇ及びＢ光源５１ｂの各々の発光強度を第一の制御より小さくすればよい。又は、第二の制御では、Ｒ光源５１ｒの発光時間を第一の制御より長くするとともに、Ｇ光源５１ｇ及びＢ光源５１ｂの各々の発光時間を第一の制御より短くすればよい。
【００５１】  なお、第二の制御では、Ｇ光源５１ｇ及びＢ光源５１ｂの各々の発光量をゼロにしてもよい。このようにすることで、Ｒ光源５１ｒの発光量を最大にすることができ、重要な情報の視認性を十分に確保することができる。
【００５２】  光源制御部５０は、重要な情報の重要度に応じて、第二の制御時におけるＧ光源５１ｇ及びＢ光源５１ｂの各々の発光量を制御してもよい。
【００５３】  例えば、歩行者が飛び出してきていることを通知する情報を表示させる場合、光源制御部５０は、Ｇ光源５１ｇ及びＢ光源５１ｂの各々の発光量をゼロにして、この画像の視認性を最大限まで上げる。
【００５４】  一方、時速を通知する情報を表示させる場合、光源制御部５０は、Ｇ光源５１ｇ及びＢ光源５１ｂの各々の発光量を例えば第一の制御時の８割程度にする。このようにすることで、運転状況に応じた柔軟な制御が可能となる。
【００５５】  以上のように、第一の制御と第二の制御とで、３つの光源の発熱によるトータルの温度と３つの光源を動作させるために必要なトータルの消費電力が変わらないようにすることで、ＨＵＤの低消費電力化が可能となる。
【００５６】  図６は、第一の制御の別の例を説明するための図である。
【００５７】  図６に示す第一の制御における光源の発光パターンは、Ｒ光源５１ｒ、Ｇ光源５１ｇ、及びＢ光源５１ｂから光を順次出射させるフィールドを例えば１秒間連続して行うＲＧＢ発光期間と、Ｇ光源５１ｇ及びＢ光源５１ｂから光を出射させるフィールドを例えば１秒間連続して行うＧＢ発光期間と、を交互に繰り返す第一のパターンである。
【００５８】  なお、図４に示した第一の制御における光源の発光パターンは、図６に示したＲＧＢ発光期間を連続して行う第二のパターンとなる。
【００５９】  光源制御部５０が図６に示す第一の制御を行うと、運転者８から見える画像における赤色の部分は１秒おきに点滅した状態となる。ＨＵＤでは、この第一の制御のように、赤色の部分で示される重要な情報を点滅表示することで、重要な情報の視認性を上げることが行われる。
【００６０】  光源制御部５０は、図３に示す第一の制御の代わりに図６に示す第一の制御を行っている場合は、第二の制御として図７に示したものを行う。図７に示す第二の制御では、Ｇ光源５１ｇ及びＢ光源５１ｂの発光強度は図４に示す第二の制御時と同じであるが、Ｒ光源５１ｒの発光強度を図４に示す第二の制御時におけるＲ光源５１ｒの発光強度よりも大きくしている。
【００６１】  図７に示す第二の制御では、ＧＢ発光期間においてＲ光源５１ｒが発光されず、この期間中に、Ｒ光源５１ｒの温度上昇が抑制される。また、この期間中にＲ光源５１ｒを発光させるための電力が不要となる。これらのことから、ＲＧＢ発光期間中において、Ｒ光源５１ｒの発光強度を大幅に上げられる余地がある。したがって、図４に示す第二の制御のときよりもＲ光源５１ｒの発光強度を大きくすることで、重要な情報の視認性を更に向上させることが可能となる。
【００６２】  ここまでの説明では、特定光源としてＲ光源５１ｒを例にしたが、特定光源は、Ｇ光源５１ｇ又はＢ光源５１ｂであってもよい。また、Ｒ光源５１ｒとＧ光源５１ｇとＢ光源５１ｂの３つの光源を含むＨＵＤを例にしたが、光源の数は２つ又は４つ以上であってもよい。
【００６３】  また、光源制御部５０は、温度検出部５７により検出された温度に応じて第一の制御と第二の制御を切り替えているが、重要な情報の表示が必要になった場合（例えば、ガソリンが不足してきて、それを通知する情報の表示が必要になった場合）に、そのタイミングで、第一の制御から第二の制御に切り替えを行ってもよい。或いは、外界の明るさを検出する照度センサを設けておき、照度センサにより検出された明るさが所定以上となった場合に、第一の制御から第二の制御に切り替えてもよい。
【００６４】  以上説明してきたように、本明細書には以下の事項が開示されている。
【００６５】  開示された投写型表示装置は、異なる色の光を出射する複数の光源と、上記複数の光源から出射される光のうち画像情報に応じた光を投写面に投写する投写部と、上記複数の光源の各々の発光量を予め決められた発光量パターンに設定し、上記複数の光源から予め決められた発光パターンで光を順次出射させる第一の制御と、上記複数の光源のうちの特定光源の発光量を上記発光量パターンで設定される発光量よりも大きい発光量に設定し、上記複数の光源のうちの上記特定光源を除く光源の発光量を上記発光量パターンで設定される発光量よりも小さい発光量に設定して上記複数の光源から上記発光パターンで光を順次出射させる第二の制御と、を選択的に行う光源制御部と、を備えるものである。
【００６６】  開示された投写型表示装置は、上記光源制御部は、上記第二の制御において上記特定光源を除く光源に設定する発光量をゼロにするものである。
【００６７】  開示された投写型表示装置は、上記複数の光源は、赤色光を出射する赤色光源と、緑色光を出射する緑色光源と、青色光を出射する青色光源と、を含み、上記特定光源は上記赤色光源であるものである。
【００６８】  開示された投写型表示装置は、温度を検出する温度検出部を更に備え、上記光源制御部は、上記温度検出部により検出される温度が閾値を超える場合に上記第二の制御を行い、上記温度検出部により検出される温度が上記閾値以下の場合に上記第一の制御を行うものである。
【００６９】  開示された投写型表示装置は、上記発光パターンは、上記複数の光源から光を順次出射させる期間と、上記複数の光源のうち上記特定光源を除く光源から光を順次出射させる期間とを交互に繰り返す第一のパターンと、上記複数の光源から光を順次出射させる期間を連続して行う第二のパターンとを含み、上記光源制御部は、上記第二の制御において、上記第一のパターンで光を順次出射させる場合に上記特定光源に設定する発光量を、上記第二のパターンで光を順次出射させる場合よりも大きくするものである。
【００７０】  開示された光源制御方法は、異なる色の光を出射する複数の光源と、上記複数の光源から出射される光のうち画像情報に応じた光を投写面に投写する投写部と、を有する投写型表示装置の光源制御方法であって、上記複数の光源の各々の発光量を予め決められた発光量パターンに設定し、上記複数の光源から予め決められた発光パターンで光を順次出射させる第一の制御と、上記複数の光源のうちの特定光源の発光量を上記発光量パターンで設定される発光量よりも大きい発光量に設定し、上記複数の光源のうちの上記特定光源を除く光源の発光量を上記発光量パターンで設定される発光量よりも小さい発光量に設定して上記複数の光源から上記発光パターンで光を順次出射させる第二の制御と、を選択的に行う光源制御ステップを備えるものである。
【００７１】  開示された光源制御方法は、上記光源制御ステップでは、上記第二の制御において上記特定光源を除く光源に設定する発光量をゼロにするものである。
【００７２】  開示された光源制御方法は、上記複数の光源は、赤色光を出射する赤色光源と、緑色光を出射する緑色光源と、青色光を出射する青色光源と、を含み、上記特定光源は上記赤色光源であるものである。
【００７３】  開示された光源制御方法は、上記光源制御ステップでは、温度を検出する温度検出部により検出される温度が閾値を超える場合に上記第二の制御を行い、上記温度検出部により検出される温度が上記閾値以下の場合に上記第一の制御を行うものである。
【００７４】  開示された光源制御方法は、上記発光パターンは、上記複数の光源から光を順次出射させる期間と、上記複数の光源のうち上記特定光源を除く光源から光を順次出射させる期間とを交互に繰り返す第一のパターンと、上記複数の光源から光を順次出射させる期間を連続して行う第二のパターンとを含み、上記光源制御ステップでは、上記第二の制御において、上記第一のパターンで光を順次出射させる場合に上記特定光源に設定する発光量を、上記第二のパターンで光を順次出射させる場合よりも大きくするものである。
【産業上の利用可能性】
【００７５】  本発明は、特に車載用のＨＵＤに適用して利便性が高く、有効である。【００７６】  本発明を詳細にまた特定の実施態様を参照して説明したが、本発明の精神と範囲を逸脱することなく様々な変更や修正を加えることができることは当業者にとって明らかである。  本出願は、２０１４年９月２９日出願の日本特許出願（特願２０１４−１９８４５３）に基づくものであり、その内容はここに参照として取り込まれる。
【符号の説明】
【００７７】５０  光源制御部５１ｒ  赤色光源５１ｇ  緑色光源５１ｂ  青色光源
【図１】
2016051846.tif 000003
【図２】
2016051846.tif 000004
【図３】
2016051846.tif 000005
【図４】
2016051846.tif 000006
【図５】
2016051846.tif 000007
【図６】
2016051846.tif 000008
【図７】
2016051846.tif 000009
【手続補正書】
【提出日】平成27年10月16日(2015.10.16)
【手続補正１】
【補正対象書類名】特許請求の範囲
【補正対象項目名】全文
【補正方法】変更
【補正の内容】
【特許請求の範囲】
【請求項１】
異なる色の光を出射する複数の光源と、
前記複数の光源から出射される光のうち画像情報に応じた光を投写面に投写する投写部と、
前記複数の光源の各々の発光量を予め決められた発光量パターンに設定し、前記複数の光源から予め決められた発光パターンで光を順次出射させる第一の制御と、前記複数の光源のうちの特定光源の発光量を前記発光量パターンで設定される発光量よりも大きい発光量に設定し、前記複数の光源のうちの前記特定光源を除く光源の発光量を前記発光量パターンで設定される発光量よりも小さい発光量に設定して前記複数の光源から前記発光パターンで光を順次出射させる第二の制御と、を選択的に行う光源制御部と、
温度を検出する温度検出部と、を備え、
前記光源制御部は、前記温度検出部により検出される温度が閾値を超える場合に前記第二の制御を行い、前記温度検出部により検出される温度が前記閾値以下の場合に前記第一の制御を行う投写型表示装置。
【請求項２】
請求項１記載の投写型表示装置であって、
前記光源制御部は、前記第二の制御において前記特定光源を除く光源に設定する発光量をゼロにする投写型表示装置。
【請求項３】
請求項１又は２記載の投写型表示装置であって、
前記複数の光源は、赤色光を出射する赤色光源と、緑色光を出射する緑色光源と、青色光を出射する青色光源と、を含み、
前記特定光源は前記赤色光源である投写型表示装置。
【請求項４】
（削除）
【請求項５】
請求項１〜３のいずれか１項記載の投写型表示装置であって、
前記発光パターンは、前記複数の光源から光を順次出射させる期間と、前記複数の光源のうち前記特定光源を除く光源から光を順次出射させる期間とを交互に繰り返す第一のパターンと、前記複数の光源から光を順次出射させる期間を連続して行う第二のパターンとを含み、
前記光源制御部は、前記第二の制御において、前記第一のパターンで光を順次出射させる場合に前記特定光源に設定する発光量を、前記第二のパターンで光を順次出射させる場合よりも大きくする投写型表示装置。
【請求項６】
異なる色の光を出射する複数の光源と、前記複数の光源から出射される光のうち画像情報に応じた光を投写面に投写する投写部と、温度を検出する温度検出部と、を有する投写型表示装置の光源制御方法であって、
前記複数の光源の各々の発光量を予め決められた発光量パターンに設定し、前記複数の光源から予め決められた発光パターンで光を順次出射させる第一の制御と、前記複数の光源のうちの特定光源の発光量を前記発光量パターンで設定される発光量よりも大きい発光量に設定し、前記複数の光源のうちの前記特定光源を除く光源の発光量を前記発光量パターンで設定される発光量よりも小さい発光量に設定して前記複数の光源から前記発光パターンで光を順次出射させる第二の制御と、を選択的に行う光源制御ステップを備え、
前記光源制御ステップでは、前記温度検出部により検出される温度が閾値を超える場合に前記第二の制御を行い、前記温度検出部により検出される温度が前記閾値以下の場合に前記第一の制御を行う光源制御方法。
【請求項７】
請求項６記載の光源制御方法であって、
前記光源制御ステップでは、前記第二の制御において前記特定光源を除く光源に設定する発光量をゼロにする光源制御方法。
【請求項８】
請求項６又は７記載の光源制御方法であって、
前記複数の光源は、赤色光を出射する赤色光源と、緑色光を出射する緑色光源と、青色光を出射する青色光源と、を含み、
前記特定光源は前記赤色光源である光源制御方法。
【請求項９】
（削除）
【請求項１０】
請求項６〜８のいずれか１項記載の光源制御方法であって、
前記発光パターンは、前記複数の光源から光を順次出射させる期間と、前記複数の光源のうち前記特定光源を除く光源から光を順次出射させる期間とを交互に繰り返す第一のパターンと、前記複数の光源から光を順次出射させる期間を連続して行う第二のパターンとを含み、
前記光源制御ステップでは、前記第二の制御において、前記第一のパターンで光を順次出射させる場合に前記特定光源に設定する発光量を、前記第二のパターンで光を順次出射させる場合よりも大きくする光源制御方法。
【手続補正２】
【補正対象書類名】明細書
【補正対象項目名】０００３
【補正方法】変更
【補正の内容】
【０００３】
の方法は、このフィールドシーケンシャル方式には適用できない。
［００１４］
本発明は、上記事情に鑑みてなされたものであり、異なる色の光を出射する複数の光源から時分割で光を出射させる方式で画像表示を行う投写型表示装置において、電力消費量を増やすことなく、特定の情報の視認性を向上させることを目的とする。
課題を解決するための手段
［００１５］
本発明の投写型表示装置は、異なる色の光を出射する複数の光源と、上記複数の光源から出射される光のうち画像情報に応じた光を投写面に投写する投写部と、上記複数の光源の各々の発光量を予め決められた発光量パターンに設定し、上記複数の光源から予め決められた発光パターンで光を順次出射させる第一の制御と、上記複数の光源のうちの特定光源の発光量を上記発光量パターンで設定される発光量よりも大きい発光量に設定し、上記複数の光源のうちの上記特定光源を除く光源の発光量を上記発光量パターンで設定される発光量よりも小さい発光量に設定して上記複数の光源から上記発光パターンで光を順次出射させる第二の制御と、を選択的に行う光源制御部と、温度を検出する温度検出部と、を備え、上記光源制御部は、上記温度検出部により検出される温度が閾値を超える場合に上記第二の制御を行い、上記温度検出部により検出される温度が上記閾値以下の場合に上記第一の制御を行うものである。
［００１６］
本発明の投写型表示装置の光源制御方法は、異なる色の光を出射する複数の光源と、上記複数の光源から出射される光のうち画像情報に応じた光を投写面に投写する投写部と、温度を検出する温度検出部と、を有する投写型表示装置の光源制御方法であって、上記複数の光源の各々の発光量を予め決められた発光量パターンに設定し、上記複数の光源から予め決められた発光パターンで光を順次出射させる第一の制御と、上記複数の光源のうちの特定光源の発光量を上記発光量パターンで設定される発光量よりも大きい発光量に設定し、上記複数の光源のうちの上記特定光源を除く光源の発光量を上記発光量パターンで設定される発光量よりも小さい発光量に設定して上記複数の光源から上記発光パターンで光を順次出射させる第二の制御と、を選択的に行う光源制御ステップを備え、上記光源制御ステップでは、上記温度検出部により検出される温度が閾値を超える場合に上記第二の制御を行い、上記温度検出部により検出される温度が上記閾値以下の場合に上記第一の制御を行うものである。
発明の効果
［００１７］
本発明によれば、異なる色の光を出射する複数の光源から時分割で光を出射させる方式で画像表示を行う投写型表示装置において、電力消費量を増やすことなく、特定の情報の視認性を向上させることができる。
【手続補正書】
【提出日】平成29年2月14日(2017.2.14)
【手続補正１】
【補正対象書類名】特許請求の範囲
【補正対象項目名】全文
【補正方法】変更
【補正の内容】
【特許請求の範囲】
【請求項１】
異なる色の光を出射する複数の光源と、
前記複数の光源から出射される光のうち画像情報に応じた光を投写面に投写する投写部と、
前記複数の光源の各々の発光量を予め決められた発光量パターンに設定し、前記複数の光源から予め決められた発光パターンで光を順次出射させる第一の制御と、前記複数の光源のうちの特定光源の発光量を前記発光量パターンで設定される発光量よりも大きい発光量に設定し、前記複数の光源のうちの前記特定光源を除く光源の発光量を前記発光量パターンで設定される発光量よりも小さい発光量に設定して前記複数の光源から前記発光パターンで光を順次出射させる第二の制御と、を選択的に行う光源制御部と、
温度を検出する温度検出部と、を備え、
前記光源制御部は、前記温度検出部により検出される温度が閾値を超える場合に前記第二の制御を行い、前記温度検出部により検出される温度が前記閾値以下の場合に前記第一の制御を行い、
前記発光パターンは、前記複数の光源から光を順次出射させる期間と、前記複数の光源のうち前記特定光源を除く光源から光を順次出射させる期間とを交互に繰り返す第一のパターンと、前記複数の光源から光を順次出射させる期間を連続して行う第二のパターンとを含み、
前記光源制御部は、前記第二の制御において、前記第一のパターンで光を順次出射させる場合に前記特定光源に設定する発光量を、前記第二のパターンで光を順次出射させる場合よりも大きくする投写型表示装置。
【請求項２】
請求項１記載の投写型表示装置であって、
前記光源制御部は、前記第二の制御において前記特定光源を除く光源に設定する発光量をゼロにする投写型表示装置。
【請求項３】
請求項１又は２記載の投写型表示装置であって、
前記複数の光源は、赤色光を出射する赤色光源と、緑色光を出射する緑色光源と、青色光を出射する青色光源と、を含み、
前記特定光源は前記赤色光源である投写型表示装置。
【請求項４】
異なる色の光を出射する複数の光源と、前記複数の光源から出射される光のうち画像情報に応じた光を投写面に投写する投写部と、温度を検出する温度検出部と、を有する投写型表示装置の光源制御方法であって、
前記複数の光源の各々の発光量を予め決められた発光量パターンに設定し、前記複数の光源から予め決められた発光パターンで光を順次出射させる第一の制御と、前記複数の光源のうちの特定光源の発光量を前記発光量パターンで設定される発光量よりも大きい発光量に設定し、前記複数の光源のうちの前記特定光源を除く光源の発光量を前記発光量パターンで設定される発光量よりも小さい発光量に設定して前記複数の光源から前記発光パターンで光を順次出射させる第二の制御と、を選択的に行う光源制御ステップを備え、
前記光源制御ステップでは、前記温度検出部により検出される温度が閾値を超える場合に前記第二の制御を行い、前記温度検出部により検出される温度が前記閾値以下の場合に前記第一の制御を行い、
前記発光パターンは、前記複数の光源から光を順次出射させる期間と、前記複数の光源のうち前記特定光源を除く光源から光を順次出射させる期間とを交互に繰り返す第一のパターンと、前記複数の光源から光を順次出射させる期間を連続して行う第二のパターンとを含み、
前記光源制御ステップでは、前記第二の制御において、前記第一のパターンで光を順次出射させる場合に前記特定光源に設定する発光量を、前記第二のパターンで光を順次出射させる場合よりも大きくする光源制御方法。
【請求項５】
請求項４記載の光源制御方法であって、
前記光源制御ステップでは、前記第二の制御において前記特定光源を除く光源に設定する発光量をゼロにする光源制御方法。
【請求項６】
請求項４又は５記載の光源制御方法であって、
前記複数の光源は、赤色光を出射する赤色光源と、緑色光を出射する緑色光源と、青色光を出射する青色光源と、を含み、
前記特定光源は前記赤色光源である光源制御方法。
【手続補正２】
【補正対象書類名】明細書
【補正対象項目名】００１５
【補正方法】変更
【補正の内容】
【００１５】
本発明の投写型表示装置は、異なる色の光を出射する複数の光源と、上記複数の光源から出射される光のうち画像情報に応じた光を投写面に投写する投写部と、上記複数の光源の各々の発光量を予め決められた発光量パターンに設定し、上記複数の光源から予め決められた発光パターンで光を順次出射させる第一の制御と、上記複数の光源のうちの特定光源の発光量を上記発光量パターンで設定される発光量よりも大きい発光量に設定し、上記複数の光源のうちの上記特定光源を除く光源の発光量を上記発光量パターンで設定される発光量よりも小さい発光量に設定して上記複数の光源から上記発光パターンで光を順次出射させる第二の制御と、を選択的に行う光源制御部と、温度を検出する温度検出部と、を備え、上記光源制御部は、上記温度検出部により検出される温度が閾値を超える場合に上記第二の制御を行い、上記温度検出部により検出される温度が上記閾値以下の場合に上記第一の制御を行い、
上記発光パターンは、上記複数の光源から光を順次出射させる期間と、上記複数の光源のうち上記特定光源を除く光源から光を順次出射させる期間とを交互に繰り返す第一のパターンと、上記複数の光源から光を順次出射させる期間を連続して行う第二のパターンとを含み、
上記光源制御部は、上記第二の制御において、上記第一のパターンで光を順次出射させる場合に上記特定光源に設定する発光量を、上記第二のパターンで光を順次出射させる場合よりも大きくするものである。
【手続補正３】
【補正対象書類名】明細書
【補正対象項目名】００１６
【補正方法】変更
【補正の内容】
【００１６】
本発明の投写型表示装置の光源制御方法は、異なる色の光を出射する複数の光源と、上記複数の光源から出射される光のうち画像情報に応じた光を投写面に投写する投写部と、温度を検出する温度検出部と、を有する投写型表示装置の光源制御方法であって、上記複数の光源の各々の発光量を予め決められた発光量パターンに設定し、上記複数の光源から予め決められた発光パターンで光を順次出射させる第一の制御と、上記複数の光源のうちの特定光源の発光量を上記発光量パターンで設定される発光量よりも大きい発光量に設定し、上記複数の光源のうちの上記特定光源を除く光源の発光量を上記発光量パターンで設定される発光量よりも小さい発光量に設定して上記複数の光源から上記発光パターンで光を順次出射させる第二の制御と、を選択的に行う光源制御ステップを備え、上記光源制御ステップでは、上記温度検出部により検出される温度が閾値を超える場合に上記第二の制御を行い、上記温度検出部により検出される温度が上記閾値以下の場合に上記第一の制御を行い、
上記発光パターンは、上記複数の光源から光を順次出射させる期間と、上記複数の光源のうち上記特定光源を除く光源から光を順次出射させる期間とを交互に繰り返す第一のパターンと、上記複数の光源から光を順次出射させる期間を連続して行う第二のパターンとを含み、
上記光源制御ステップでは、上記第二の制御において、上記第一のパターンで光を順次出射させる場合に上記特定光源に設定する発光量を、上記第二のパターンで光を順次出射させる場合よりも大きくするものである。
【国際調査報告】
2016051846.tif 000010
2016051846.tif 000011
2016051846.tif 000012
2016051846.tif 000013